(57)【要約】【課題】空気の湿度調節を行う調湿装置において、起動から室内空気の相対湿度が所定の目標値に達するまでの時間を短縮する。【解決手段】調湿装置のケーシング（10）では、室内側吸込口（15）の近傍に室内空気（RA）の相対湿度を検出するための湿度センサ（1）が設けられる。調湿装置の加湿運転において、起動時に室内空気（RA）としての第２空気を室内へ供給して室外空気（OA）としての第１空気を室外へ排出する循環動作が行われる。つまり、循環動作中には、第２空気を取り込んで加湿後に室内へ送り返し、室内から室外への排気は行わない。一方、循環動作中に湿度センサ（1）の検出値が所定の基準値に達すると、調湿装置では循環動作から換気動作への切り換えが行われる。換気動作中は、室外空気（OA）としての第２空気が室内へ供給され、室内空気（RA）としての第１空気が室外へ排出される。【選択図】図１
2005140420.tif 000002
【特許請求の範囲】
【請求項１】
空気を室内へ供給するための第１ファン（96）と、空気を室外へ排出するための第２ファン（95）と、空気中の水分を吸着する吸着剤が設けられた吸着素子（81,82）とを備え、
室内へ向かう空気と室外へ向かう空気の何れか一方の水分を上記吸着素子（81,82）に吸着させて上記吸着素子（81,82）から脱離した水分を他方へ付与する調湿装置であって、
室外空気を取り込んで室内へ供給すると共に室内空気を取り込んで室外へ排出する換気動作と、室内空気を取り込んで室内へ供給すると共に室外空気を取り込んで室外へ排出する循環動作とが切り換え可能に構成され、
起動時には上記循環動作を行い、該循環動作中に所定の基準条件が成立すると上記換気動作に切り換わる調湿装置。
【請求項２】
請求項１に記載の調湿装置において、
循環動作では室内へ向かう空気の流量と室外へ向かう空気の流量とが異なっている調湿装置。
【請求項３】
請求項２に記載の調湿装置において、
室内へ向かう空気の水分を上記吸着素子（81,82）に吸着させて上記吸着素子（81,82）から脱離した水分を室外へ向かう空気に付与する除湿運転が可能に構成され、該除湿運転中の循環動作では室内へ向かう空気の流量が室外へ向かう空気の流量よりも多くなっている調湿装置。
【請求項４】
請求項２に記載の調湿装置において、
室外へ向かう空気の水分を上記吸着素子（81,82）に吸着させて上記吸着素子（81,82）から脱離した水分を室内へ向かう空気に付与する加湿運転が可能に構成され、該加湿運転中の循環動作では室外へ向かう空気の流量が室内へ向かう空気の流量よりも多くなっている調湿装置。
【請求項５】
請求項１乃至４の何れか１つに記載の調湿装置において、
室内空気の湿度を検出する湿度検出手段（1）が設けられ、
上記湿度検出手段（1）の検出値が所定の基準値に達することが基準条件となっている調湿装置。
【請求項６】
請求項１乃至４の何れか１つに記載の調湿装置において、
室内空気の温度を検出する温度検出手段が設けられ、
上記温度検出手段の検出値が所定の基準値に達することが基準条件となっている調湿装置。
【請求項７】
請求項１乃至４の何れか１つに記載の調湿装置において、
起動時からの経過時間を計測するタイマーが設けられ、
上記タイマーの計測値が所定の基準値に達することが基準条件となっている調湿装置。
【発明の詳細な説明】
【技術分野】
【０００１】
本発明は、室内の湿度調節を行う調湿装置に関するものである。
【背景技術】
【０００２】
従来より、特許文献１に開示されているように、吸着剤を用いて空気の湿度調節を行う調湿装置が知られている。この調湿装置は、室外空気と室内空気の流通経路を切り換えることにより、２つの吸着素子を交互に用いて室内へ供給する空気の除湿又は加湿を行うものである。上記調湿装置は、室外空気を取り込んで室内へ供給すると共に室内空気を取り込んで室外へ排出する換気運転を行う。また、上記調湿装置は、室内空気を取り込んで室内へ供給すると共に室外空気を取り込んで室外へ排出する循環運転を行う。
【０００３】
加湿換気運転では、室内空気中の水分が一方の吸着素子に吸着される。水分を奪われた空気は、室外へ排出される。一方、室外空気は、再生熱交換器で加熱された後に他方の吸着素子を再生し、その後に室内へ供給される。除湿換気運転では、室外空気中の水分が一方の吸着素子に吸着される。除湿された空気は、冷却熱交換器で冷却され、室内へ供給される。一方、室内空気は、再生熱交換器で加熱された後に他方の吸着素子を再生し、その後に室外へ排出される。
【０００４】
加湿循環運転では、室外空気中の水分が一方の吸着素子に吸着される。水分を奪われた空気は、室外へ排出される。一方、室内空気は、再生熱交換器で加熱された後に他方の吸着素子を再生し、その後に室内へ供給される。除湿循環運転では、室内空気中の水分が一方の吸着素子に吸着される。除湿された空気は、冷却熱交換器で冷却され、室内へ供給される。一方、室外空気は、再生熱交換器で加熱された後に他方の吸着素子を再生し、その後に室外へ排出される。
【特許文献１】特開２００３−２０２１３８号公報
【発明の開示】
【発明が解決しようとする課題】
【０００５】
上述のように、上記調湿装置は、換気運転と循環運転とが可能に構成されている。室内の換気と湿度調節の両方を調湿装置によって行う必要がある場合、この調湿装置は換気運転を行うように設定される。一方、室内の換気が他の手段により行われる場合、この調湿装置は循環運転を行うように設定される。
【０００６】
ここで、換気運転中には、室外空気が調湿装置で調湿されてから室内へ供給される。例えば、冬季に室内を加湿する場合、絶対湿度の低い室外空気が調湿装置で加湿された後に室内へ供給され、それと同時に室内から室外への排気も行われる。また、夏季に室内を除湿する場合、絶対湿度の高い室外空気が調湿装置で除湿された後に室内へ供給され、それと同時に室内から室外への排気も行われる。このため、換気運転を行う調湿装置では、起動から室内空気の相対湿度が所定の目標値に達するまでの時間が長くかかるという問題があった。
【０００７】
本発明は、かかる点に鑑みてなされたものであり、その目的とするところは、空気の湿度調節を行う調湿装置において、起動から室内空気の相対湿度が所定の目標値に達するまでの時間を短縮することにある。
【課題を解決するための手段】
【０００８】
第１の発明は、空気を室内へ供給するための第１ファン（96）と、空気を室外へ排出するための第２ファン（95）と、空気中の水分を吸着する吸着剤が設けられた吸着素子（81,82）とを備え、室内へ向かう空気と室外へ向かう空気の何れか一方の水分を上記吸着素子（81,82）に吸着させて上記吸着素子（81,82）から脱離した水分を他方へ付与する調湿装置を対象としている。
【０００９】
そして、室外空気を取り込んで室内へ供給すると共に室内空気を取り込んで室外へ排出する換気動作と、室内空気を取り込んで室内へ供給すると共に室外空気を取り込んで室外へ排出する循環動作とが切り換え可能に構成され、起動時には上記循環動作を行い、該循環動作中に所定の基準条件が成立すると上記換気動作に切り換わるものである。
【００１０】
第２の発明は、第１の発明において、循環動作では室内へ向かう空気の流量と室外へ向かう空気の流量とが異なっているものである。
【００１１】
第３の発明は、第２の発明において、室内へ向かう空気の水分を上記吸着素子（81,82）に吸着させて上記吸着素子（81,82）から脱離した水分を室外へ向かう空気に付与する除湿運転が可能に構成され、該除湿運転中の循環動作では室内へ向かう空気の流量が室外へ向かう空気の流量よりも多くなっているものである。
【００１２】
第４の発明は、第２の発明において、室外へ向かう空気の水分を上記吸着素子（81,82）に吸着させて上記吸着素子（81,82）から脱離した水分を室内へ向かう空気に付与する加湿運転が可能に構成され、該加湿運転中の循環動作では室外へ向かう空気の流量が室内へ向かう空気の流量よりも多くなっているものである。
【００１３】
第５の発明は、第１乃至第４の何れか１つの発明において、室内空気の湿度を検出する湿度検出手段（1）が設けられ、上記湿度検出手段（1）の検出値が所定の基準値に達することが基準条件となっているものである。
【００１４】
第６の発明は、第１乃至第４の何れか１つの発明において、室内空気の温度を検出する温度検出手段が設けられ、上記温度検出手段の検出値が所定の基準値に達することが基準条件となっているものである。
【００１５】
第７の発明は、第１乃至第４の何れか１つの発明において、起動時からの経過時間を計測するタイマーが設けられ、上記タイマーの計測値が所定の基準値に達することが基準条件となっているものである。
【００１６】
−作用−
上記第１の発明では、調湿装置に第１ファン（96）と第２ファン（95）と吸着素子（81,82）とが設けられる。第１ファン（96）および第２ファン（95）を運転すると、室内空気と室外空気とが調湿装置へ取り込まれて吸着素子（81,82）へ送られる。調湿装置へ取り込まれた室内空気および室外空気は、一方が吸着素子（81,82）に水分を奪われて除湿され、他方が吸着素子（81,82）から脱離した水分を付与されて加湿される。そして、調湿装置は、吸着素子（81,82）で除湿された空気と吸着素子（81,82）で加湿された空気のうち一方を室内へ供給して他方を室外へ排出する。
【００１７】
この発明の調湿装置を起動する際は、先ず循環動作が行われる。循環動作中は、調湿装置へ取り込まれた室内空気が吸着素子（81,82）を通過後に室内へ供給され、調湿装置へ取り込まれた室外空気が吸着素子（81,82）を通過後に室外へ排出される。つまり、循環動作中の調湿装置は、室内空気を取り込んで調湿後に室内へ送り返し、室内から室外への排気は行わない。循環動作中に所定の基準条件が成立すると、調湿装置では、循環動作から換気動作への切り換えが行われる。換気動作中は、調湿装置へ取り込まれた室外空気が吸着素子（81,82）を通過後に室内へ供給され、調湿装置へ取り込まれた室内空気が吸着素子（81,82）を通過後に室外へ排出される。
【００１８】
上記第２の発明では、循環動作において、第１ファン（96）を駆動して取り込んだ室内へ向かう室内空気の流量と、第２ファン（95）を駆動して取り込んだ室外へ向かう室外空気の流量とが互いに異なった値に設定される。
【００１９】
上記第３の発明では、調湿装置が除湿運転可能に構成される。除湿運転中の循環動作では、室内へ向かう室内空気中の水分を吸着素子（81,82）に吸着させる一方、室外へ向かう室外空気に吸着素子（81,82）から脱離した水分を付与する。除湿運転中の換気動作では、室内へ向かう室外空気中の水分を吸着素子（81,82）に吸着させる一方、室外へ向かう室内空気に吸着素子（81,82）から脱離した水分を付与する。
【００２０】
除湿運転中の循環動作では、室内へ向かう室内空気の流量が室外へ向かう室外空気の流量よりも多くなっている。このため、吸着素子（81,82）で除湿されて空内へ供給される空気の流量は、室内へ向かう室内空気の流量と室外へ向かう室外空気の流量とが等しい場合に比べて多くなる。
【００２１】
上記第４の発明では、調湿装置が加湿運転可能に構成される。加湿運転中の循環動作では、室内へ向かう室内空気に吸着素子（81,82）から脱離した水分を付与する一方、室外へ向かう室外空気中の水分を吸着素子（81,82）に吸着させる。加湿運転中の換気動作では、室内へ向かう室外空気に吸着素子（81,82）から脱離した水分を付与する一方、室外へ向かう室内空気中の水分を吸着素子（81,82）に吸着させる。
【００２２】
加湿運転中の循環動作では、室外へ向かう室外空気の流量が室内へ向かう室内空気の流量よりも多くなっている。このため、吸着素子（81,82）で加湿されて室内へ供給される空気の流量は、室外へ向かう室外空気の流量と室内へ向かう室内空気の流量とが等しい場合に比べて多くなる。
【００２３】
上記第５の発明では、調湿装置に湿度検出手段（1）が設けられる。この発明における基準条件は、湿度検出手段（1）の検出値が所定の基準値に達することによって満たされる。調湿装置の運転中には、湿度検出手段（1）によって室内空気の湿度が検出される。そして、湿度検出手段（1）の検出値が所定の基準値に達すると、循環動作から換気動作へと切り換わる。
【００２４】
上記第６の発明では、調湿装置に温度検出手段が設けられる。この発明における基準条件は、温度検出手段の検出値が所定の基準値に達することによって満たされる。調湿装置の運転中には、温度検出手段によって室内空気の温度が検出され、温度検出手段の検出値が所定の基準値に達すると循環動作から換気動作へと切り換わる。
【００２５】
ここで、例えば冬季において、室外空気の温度は変動してもその相対湿度は概ね一定となる。従って、循環動作では、室外空気の温度が低いとその絶対湿度も低く、吸着素子（81,82）に吸着される室外空気中の水分量が少なくなって吸着素子（81,82）の温度が上昇しない。このため、吸着素子（81,82）において、室内へ供給される空気に対する加湿量および加熱量が少なくなる。そして、室外空気の温度が低いことから室内空気の温度は緩やかにしか上昇せず、室内へ供給される空気の絶対湿度が低いことから室内空気の相対湿度も緩やかにしか上昇しない。
【００２６】
一方、室外空気の温度が高いとその絶対湿度も高く、吸着素子（81,82）に吸着される室外空気中の水分量が多くなって吸着素子（81,82）の温度が上昇する。このため、吸着素子（81,82）において、室内へ供給される空気に対する加湿量および加熱量が多くなる。そして、室外空気の温度が高いことから室内空気の温度は速やかに上昇し、室内へ供給される空気の絶対湿度が高いことから室内空気の相対湿度も速やかに上昇してゆく。
【００２７】
このように、室内空気の温度の上昇速度が高ければその相対湿度の上昇速度も高くなり、逆に室内空気の温度の上昇速度が低ければその相対湿度の上昇速度も低くなる。つまり、室内空気の温度と相対湿度には相関関係があり、両者は連動して変化する。よって、温度検出手段の検出値から室内空気の相対湿度を推測できる。そこで、この発明では、温度検出手段の検出値が所定の基準値に達したところで室内空気の相対湿度が目標値に達したと判断し、循環動作から換気動作への切り換えを行う。
【００２８】
上記第７の発明では、調湿装置にタイマーが設けられる。この発明における基準条件は、タイマーによって計測される起動時からの経過時間が所定の基準値に達することによって満たされる。調湿装置の運転中には、タイマーによって起動時からの経過時間が検出され、タイマーの計測値が所定の基準値に達すると循環動作から換気動作へと切り換わる。
【００２９】
ここで、予め様々な運転条件で試験を行って調湿装置の起動時から室内空気の相対湿度が目標値に達するまでの経過時間を計測しておけば、その試験で得られたデータに基づき、室内空気の相対湿度が目標値に達すると予想される起動時からの経過時間を基準値として設定できる。そこで、この発明では、タイマーの計測値が所定の基準値に達すると、室内空気の相対湿度が目標値に達したと判断し、循環動作から換気動作への切り換えを行う。
【発明の効果】
【００３０】
上記第１の発明では、調湿装置を起動する際に先ず循環動作を行い、その後に循環動作から換気動作へ切り換えるようにしている。
【００３１】
ここで、換気動作中は、室外空気が調湿装置で調湿されてから室内へ供給されるため、室内へ供給される空気の絶対湿度は概ね一定となる。これに対し、循環動作中は、室内空気が調湿装置で調湿されてから室内へ送り返されるため、室内へ供給される空気の絶対湿度は室内空気の絶対湿度に対応して変化する。
【００３２】
例えば、調湿装置が加湿した空気を室内へ供給する場合、調湿装置の運転によって室内空気の絶対湿度が徐々に上昇すると、それに伴って室内へ供給される空気の絶対湿度も上昇する。また、調湿装置が除湿した空気を室内へ供給する場合、調湿装置の運転によって室内空気の絶対湿度が徐々に低下すると、それに伴って室内へ供給される空気の絶対湿度も低下する。このため、循環動作中には、換気動作中に比べて室内空気の絶対湿度の変化速度が高まる。また、換気動作中とは異なり、循環動作中には室内から室外への排気が行われないために、これによっても室内空気の絶対湿度の変化速度が高まる。
【００３３】
従って、起動の際に先ず循環動作を行う上記第１の発明によれば、起動直後から換気動作を行う場合に比べ、室内空気の相対湿度が所定の目標値に達するまでの時間を短縮することができる。
【００３４】
上記第２の発明では、循環動作において、室内へ向かう室内空気の流量と室外へ向かう室外空気の流量を異なる値に設定している。従って、本発明によれば、調湿装置を通過する室内空気と室外空気の流量を、それぞれ調湿装置の起動から室内空気の相対湿度が所定の目標値に達するまでに要する時間の短縮に適した値に設定することが可能となる。
【００３５】
上記第３の発明では、除湿運転中の循環動作において、室内へ向かう空気の流量が室外へ向かう空気の流量よりも多くなっている。つまり、吸着素子（81,82）を通過する際に除湿されて室内へ供給される空気の流量は、室内へ向かう空気の流量が室外へ向かう空気の流量と等しい場合に比べて多くなる。従って、この発明によれば、除湿されて室内へ供給される空気の流量を充分に確保でき、室内空気の相対湿度が所定の目標値に達するまでの時間を一層短縮することができる。
【００３６】
上記第４の発明では、加湿運転中の循環動作において、室外へ向かう空気の流量が室内へ向かう空気の流量よりも多くなっている。つまり、吸着素子（81,82）を通過する際に加湿されて室内へ供給される空気の流量は、室外へ向かう空気の流量が室内へ向かう空気の流量と等しい場合に比べて多くなる。従って、この発明によれば、加湿されて室内へ供給される空気の流量を充分に確保でき、室内空気の相対湿度が所定の目標値に達するまでの時間を一層短縮することができる。
【００３７】
上記第５の発明によれば、室内空気の湿度を検出する湿度検出手段（1）の検出値が所定の基準値に達すると、循環動作から換気動作へと切り換わる。従って、この発明によれば、湿度検出手段（1）によって精度良く室内の湿度調節を行うことができ、室内の快適性を保持することができる。
【００３８】
上記第６の発明によれば、室内空気の温度を検出する温度検出手段の検出値が所定の基準値に達すると、循環動作から換気動作へと切り換わる。上述のように、室内空気の温度と相対湿度には相関関係があるため、温度検出手段の検出値によって室内空気の相対湿度を推測することができる。従って、この発明によれば、循環動作から換気動作へ切り換えるか否かの判断に温度検出手段を利用することができる。
【００３９】
上記第７の発明によれば、起動時からの経過時間を計測するタイマーの計測値が所定の基準値に達すると、循環動作から換気動作へと切り換わる。上述のように、予め試験を行って室内空気の相対湿度が目標値に達すると予想される起動時からの経過時間を基準値として設定すれば、タイマーの計測値によって室内空気の相対湿度を推測することができる。従って、この発明によれば、循環動作から換気動作へ切り換えるか否かの判断にタイマーを利用することができる。
【発明を実施するための最良の形態】
【００４０】
以下、本発明の実施形態を図面に基づいて詳細に説明する。
【００４１】
《発明の実施形態１》
本実施形態に係る調湿装置は、減湿された空気を室内へ供給する除湿運転と、加湿された空気を室内へ供給する加湿運転とを切り換えて行うように構成されている。また、この調湿装置は、冷媒回路と２つの吸着素子（81,82）とを備え、いわゆるバッチ式の動作を行うように構成されている。ここでは、本実施形態に係る調湿装置の構成について、図１を参照しながら説明する。尚、本実施形態１の説明において、「上」「下」「左」「右」「前」「後」「手前」「奥」は、特にことわらない限り、図１に示す調湿装置を正面側から見た場合のものを意味している。
【００４２】
図１に示すように、上記調湿装置は、高さの低い扁平な直方体状のケーシング（10）を備えている。ケーシング（10）には、２つの吸着素子（81,82）と冷媒回路とが収納されている。尚、図１において、（Ａ）は左側面図、（Ｂ）は平面図、（Ｃ）は右側面図を示す。この点は、図２〜４および図８〜１１においても同様である。
【００４３】
上記冷媒回路には、加熱用熱交換器（102）、第１熱源用熱交換器（103）、第２熱源用熱交換器（104）、圧縮機（101）および膨張弁が設けられている。尚、図１では、加熱用熱交換器（102）、第１熱源用熱交換器（103）、第２熱源用熱交換器（104）および圧縮機（101）だけを図示している。この冷媒回路では、充填された冷媒を循環させることによって冷凍サイクルが行われる。また、本実施形態の調湿装置では、第１熱源用熱交換器（103）が蒸発器となる動作と、第２熱源用熱交換器（104）が蒸発器となる動作とが切り換えて行われる。
【００４４】
図５に示すように、上記吸着素子（81,82）は、平板状の平板部材（83）と波形状の波板部材（84）とを交互に積層して構成されている。波板部材（84）は、隣接する波板部材（84）の稜線方向が互いに９０度ずれる姿勢で積層されている。そして、吸着素子（81,82）は、全体として直方体状ないし四角柱状に形成されている。
【００４５】
上記吸着素子（81,82）には、平板部材（83）および波板部材（84）の積層方向において、調湿側通路（85）と冷却側通路（86）とが平板部材（83）を挟んで交互に区画形成されている。この吸着素子（81,82）において、平板部材（83）の長辺側の側面に調湿側通路（85）が開口し、平板部材（83）の短辺側の側面に冷却側通路（86）が開口している。
【００４６】
上記吸着素子（81,82）において、調湿側通路（85）に臨む平板部材（83）の表面や、調湿側通路（85）に設けられた波板部材（84）の表面には、水分を吸着するための吸着剤が塗布されている。この種の吸着剤としては、例えばシリカゲル、ゼオライト、イオン交換樹脂等が挙げられる。
【００４７】
図１に示すように、上記ケーシング（10）において、最も手前側には第１パネル（11）が設けられ、最も奥側には第２パネル（12）が設けられている。第１パネル（11）および第２パネル（12）の端部には、第１パネル（11）および第２パネル（12）と直交するように、ケーシング（10）の右側面部（71）と左側面部（72）とが設けられている。
【００４８】
上記第１パネル（11）には、その右寄りの中央部に排気口（14）が形成され、その左寄りの中央部に給気口（16）が形成されている。一方、上記第２パネル（12）には、その右端寄りの下部に室外側吸込口（13）が形成され、その左端寄りの下部に室内側吸込口（15）が形成されている。
【００４９】
ケーシング（10）の内部は、第１パネル（11）側に形成された下流側空間（91）と第２パネル（12）側に形成された上流側空間（92）とに区画されている。
【００５０】
下流側空間（91）は、左右に２つの空間に区画されている。右側の第１空間（41）は、排気口（14）を介して室外と連通しており、その内部に冷媒回路の圧縮機（101）と第２ファンとしての排気ファン（95）と第１熱源用熱交換器（103）とが設置されている。左側の第２空間（42）は、給気口（16）を介して室外と連通しており、その内部に第１ファンとしての給気ファン（96）と第２熱源用熱交換器（104）とが設置されている。
【００５１】
上流側空間（92）は、ケーシング（10）の右側面部（71）および左側面部（72）と平行に設けられる右側仕切板（20）と左側仕切板（30）とによって、左右に３つの空間に区画されている。
【００５２】
右側仕切板（20）と右側面部（71）の間の空間は、上側の右上部流路（65）と下側の右下部流路（66）とに仕切られている。右上部流路（65）は、第１空間（41）と連通する。右下部流路（66）は、室外側吸込口（13）と連通する一方、第１空間（41）から仕切られている。
【００５３】
左側仕切板（30）と左側面部（72）の間の空間は、上側の左上部流路（67）と下側の左下部流路（68）とに仕切られている。左上部流路（67）は、第２空間（42）と連通する。左下部流路（68）は、室内側吸込口（15）と連通する一方、第２空間（42）から仕切られている。
【００５４】
右側仕切板（20）と左側仕切板（30）の間の空間には、２つの吸着素子（81,82）が設置されている。これら吸着素子（81,82）は、所定の間隔をおいて前後に並んだ状態に配置されている。具体的には、手前側の第１パネル（11）寄りに第１吸着素子（81）が設けられ、奥側の第２パネル（12）寄りに第２吸着素子（82）が設けられている。
【００５５】
右側仕切板（20）と左側仕切板（30）の間の空間は、第１流路（51）、第２流路（52）、第１上部流路（53）、第１下部流路（54）、第２上部流路（55）、第２下部流路（56）および中央流路（57）に区画されている。
【００５６】
第１流路（51）は、第１吸着素子（81）の手前側に形成され、第１吸着素子（81）の冷却側通路（86）に連通している。第２流路（52）は、第２吸着素子（82）の奥側に形成され、第２吸着素子（82）の冷却側通路（86）に連通している。
【００５７】
第１上部流路（53）は、第１吸着素子（81）の上側に形成され、第１吸着素子（81）の調湿側通路（85）に連通している。第１下部流路（54）は、第１吸着素子（81）の下側に形成され、第１吸着素子（81）の調湿側通路（85）に連通している。第２上部流路（55）は、第２吸着素子（82）の上側に形成され、第２吸着素子（82）の調湿側通路（85）に連通している。第２下部流路（56）は、第２吸着素子（82）の下側に形成され、第２吸着素子（82）の調湿側通路（85）に連通している。
【００５８】
中央流路（57）は、第１吸着素子（81）と第２吸着素子（82）の間に形成され、両吸着素子（81,82）の冷却側通路（86）に連通している。この中央流路（57）には、加熱用熱交換器（102）がほぼ垂直に立った状態で設置されている。この加熱用熱交換器（102）は、中央流路（57）を流れる空気を冷媒回路の冷媒と熱交換させる。そして、加熱用熱交換器（102）は、凝縮器として機能し、空気を加熱するための加熱器を構成している。
【００５９】
中央流路（57）と第１下部流路（54）の間の仕切りには、第１シャッタ（61）が設けられている。一方、中央流路（57）と第２下部流路（56）の間の仕切りには、第２シャッタ（62）が設けられている。第１シャッタ（61）と第２シャッタ（62）とは、何れもが開閉自在に構成されている。
【００６０】
右側仕切板（20）には、第１右側開口（21）、第２右側開口（22）、第１右上開口（23）、第１右下開口（24）、第２右上開口（25）および第２右下開口（26）が形成されている。これらの開口（21,22,…）は、それぞれが開閉シャッタを備えている。
【００６１】
第１右側開口（21）は、右側仕切板（20）における手前側の下部に設けられ、第１流路（51）と右下部流路（66）を連通させる。第２右側開口（22）は、右側仕切板（20）における奥側の下部に設けられ、第２流路（52）と右下部流路（66）を連通させる。
【００６２】
第１右上開口（23）は、右側仕切板（20）のうち第１吸着素子（81）に隣接する部分の上部に設けられ、第１上部流路（53）と右上部流路（65）を連通させる。第１右下開口（24）は、右側仕切板（20）のうち第１吸着素子（81）に隣接する部分の下部に設けられ、第１下部流路（54）と右下部流路（66）を連通させる。
【００６３】
第２右上開口（25）は、右側仕切板（20）のうち第２吸着素子（82）に隣接する部分の上部に設けられ、第２上部流路（55）と右上部流路（65）を連通させる。第２右下開口（26）は、右側仕切板（20）のうち第２吸着素子（82）に隣接する部分の下部に設けられ、第２下部流路（56）と右下部流路（66）を連通させる。
【００６４】
左側仕切板（30）には、第１左側開口（31）、第２左側開口（32）、第１左上開口（33）、第１左下開口（34）、第２左上開口（35）および第２左下開口（36）が形成されている。これらの開口（31,32,…）は、それぞれが開閉シャッタを備えている。
【００６５】
第１左側開口（31）は、左側仕切板（30）における手前側の下部に設けられ、第１流路（51）と左下部流路（68）を連通させる。第２左側開口（32）は、左側仕切板（30）における奥側の下部に設けられ、第２流路（52）と左下部流路（68）を連通させる。
【００６６】
第１左上開口（33）は、左側仕切板（30）のうち第１吸着素子（81）に隣接する部分の上部に設けられ、第１上部流路（53）と左上部流路（67）を連通させる。第１左下開口（34）は、左側仕切板（30）のうち第１吸着素子（81）に隣接する部分の下部に設けられ、第１下部流路（54）と左下部流路（68）を連通させる。
【００６７】
第２左上開口（35）は、左側仕切板（30）のうち第２吸着素子（82）に隣接する部分の上部に設けられ、第２上部流路（55）と左上部流路（67）を連通さする。第２左下開口（36）は、左側仕切板（30）のうち第２吸着素子（82）に隣接する部分の下部に設けられ、第２下部流路（56）と左下部流路（68）を連通させる。
【００６８】
本実施形態の調湿装置には、湿度検出手段としての湿度センサ（1）が設けられている。この湿度センサ（1）は、室内空気（RA）の相対湿度を検出するためのものであって、ケーシング（10）における室内側吸込口（15）の近傍に設けられている。
【００６９】
調湿装置は、起動時において、室外空気（OA）を取り込んで室外へ排出すると共に室内空気（RA）を取り込んで室内へ供給する循環動作を行うように構成されている。加湿運転中の循環動作では、排気ファン（95）の回転速度が給気ファン（96）の回転速度よりも高く設定され、室外空気（OA）の室外への排出量が室内空気（RA）の室内への供給量よりも多く設定される。また、除湿運転中の循環動作では、加湿運転中の循環動作とは逆に、給気ファン（96）の回転速度が排気ファン（95）の回転速度よりも高く設定され、室内空気（RA）の室内への供給量が室外空気（OA）の室外への排出量よりも多く設定される。
【００７０】
一方、調湿装置は、循環動作中に所定の基準条件が成立すると、循環動作から換気動作へと切り換わるように構成されている。具体的に、調湿装置は、湿度センサ（1）の検出値が所定の基準値に達すると、循環動作から換気動作へと切り換わるように構成されている。
【００７１】
加湿運転および除湿運転の換気動作では、室内空気（RA）を取り込んで室外へ排出すると共に室外空気（OA）を取り込んで室内へ供給する動作が行われる。また、この換気動作では、排気ファン（95）の回転速度と給気ファン（96）の回転速度とが等しく設定され、室内空気（RA）の室外への排出量と室外空気（OA）の室内への供給量とが等しく設定される。
【００７２】
−運転動作−
上記調湿装置の運転動作について説明する。この調湿装置は、室内へ供給される空気を加湿する加湿運転と室内へ供給される空気を除湿する除湿運転とを切り換えて行う。また、調湿装置は、加湿運転と除湿運転のそれぞれの運転において、室内空気（RA）を室内へ供給すると共に室外空気（OA）を室外へ排出する循環動作と、室外空気（OA）を室内へ供給すると共に室内空気（RA）を室外へ排出する換気動作とを切り換えて行う。
【００７３】
〈加湿運転〉
加湿運転において、冷媒回路では、加熱用熱交換器（102）が凝縮器となり、第１熱源用熱交換器（103）が蒸発器となる一方、第２熱源用熱交換器（104）が休止している。また、加湿運転では、第１吸着素子（81）の吸着動作と第２吸着素子（82）の再生動作とを行う第１動作と、第２吸着素子（82）の吸着動作と第１吸着素子（81）の再生動作とを行う第２動作とが交互に繰り返し行われる。
【００７４】
〜循環動作〜
図１および図２に示すように、排気ファン（95）を駆動すると、室外空気（OA）が室外側吸込口（13）を通じてケーシング（10）内の右下部流路（66）へ第１空気として取り込まれる。一方、給気ファン（96）を駆動すると、室内空気（RA）が室内側吸込口（15）を通じてケーシング（10）内の左下部流路（68）へ第２空気として取り込まれる。
【００７５】
（第１動作）
循環動作の第１動作について、図１および図６を参照しながら説明する。
【００７６】
図１に示すように、右側仕切板（20）では、第１右上開口（23）と第１右下開口（24）とが連通状態となり、残りの開口（21,22,25,26）が遮断状態となっている。左側仕切板（30）では、第１左側開口（31）と第２左上開口（35）とが連通状態となり、残りの開口（32,33,34,36）が遮断状態となっている。第１シャッタ（61）は閉鎖状態となり、第２シャッタ（62）は開口状態となっている。
【００７７】
第１空気は、右下部流路（66）から第１右下開口（24）を通って第１下部流路（54）へ流入する。一方、第２空気は、左下部流路（68）から第１左側開口（31）を通って第１流路（51）へ流入する。
【００７８】
図６にも示すように、第１下部流路（54）の第１空気は、第１吸着素子（81）の調湿側通路（85）へ流入する。この調湿側通路（85）を流れる間に、第１空気に含まれる水分が吸着剤に吸着される。第１吸着素子（81）で水分を奪われた第１空気は、第１上部流路（53）へ流入する。
【００７９】
一方、第１流路（51）の第２空気は、第１吸着素子（81）の冷却側通路（86）へ流入し、調湿側通路（85）で水分が吸着剤に吸着される際に生じた吸着熱を吸熱する。吸着熱を奪った第２空気は、中央流路（57）へ流入して加熱用熱交換器（102）を通過する間に加熱される。その後、第２空気は、中央流路（57）から第２下部流路（56）へ流入する。
【００８０】
第１吸着素子（81）および加熱用熱交換器（102）で加熱された第２空気は、第２吸着素子（82）の調湿側通路（85）へ導入される。この調湿側通路（85）では、第２空気によって吸着剤が加熱され、吸着剤から水分が脱離する。第２吸着素子（82）で加湿された第２空気は、第２上部流路（55）へ流入する。
【００８１】
第２上部流路（55）へ流入した第２空気は、第２左上開口（35）を通って左上部流路（67）へ流入し、その後に第２空間（42）を通って給気口（16）から室内へ供給される。
【００８２】
一方、第１上部流路（53）へ流入した第１空気は、第１右上開口（23）を通って右上部流路（65）へ流入し、その後に第１空間（41）へ流入する。この第１空気は、第１熱源用熱交換器（103）で冷媒と熱交換し、その後に排気口（14）を通って室外へ排出される。
【００８３】
（第２動作）
循環動作の第２動作について、図２および図７を参照しながら説明する。
【００８４】
図２に示すように、右側仕切板（20）では、第２右上開口（25）と第２右下開口（26）とが連通状態となり、残りの開口（21,22,23,24）が遮断状態となっている。左側仕切板（30）では、第２左側開口（32）と第１左上開口（33）とが連通状態となり、残りの開口（31,34,35,36）が遮断状態となっている。第１シャッタ（61）は開口状態となり、第２シャッタ（62）は閉鎖状態となっている。
【００８５】
第１空気は、右下部流路（66）から第２右下開口（26）を通って第２下部流路（56）へ流入する。一方、第２空気は、左下部流路（68）から第２左側開口（32）を通って第２流路（52）へ流入する。
【００８６】
図７にも示すように、第２下部流路（56）の第１空気は、第２吸着素子（82）の調湿側通路（85）へ流入する。この調湿側通路（85）を流れる間に、第１空気に含まれる水分が吸着剤に吸着される。第２吸着素子（82）で水分を奪われた第１空気は、第２上部流路（55）へ流入する。
【００８７】
一方、第２流路（52）の第２空気は、第２吸着素子（82）の冷却側通路（86）へ流入し、調湿側通路（85）で水分が吸着剤に吸着される際に生じた吸着熱を吸熱する。吸着熱を奪った第２空気は、中央流路（57）へ流入して加熱用熱交換器（102）を通過する間に加熱される。その後、第２空気は、中央流路（57）から第１下部流路（54）へ流入する。
【００８８】
第２吸着素子（82）および加熱用熱交換器（102）で加熱された第２空気は、第１吸着素子（81）の調湿側通路（85）へ導入される。この調湿側通路（85）では、第２空気によって吸着剤が加熱され、吸着剤から水分が脱離する。第１吸着素子（81）で加湿された第２空気は、第１上部流路（53）へ流入する。
【００８９】
第１上部流路（53）へ流入した第２空気は、第１左上開口（33）を通って左上部流路（67）へ流入し、その後に第２空間（42）を通って給気口（16）から室内へ供給される。
【００９０】
一方、第２上部流路（55）へ流入した第１空気は、第２右上開口（25）を通って右上部流路（65）へ流入し、その後に第１空間（41）へ流入する。この第１空気は、第１熱源用熱交換器（103）で冷媒と熱交換し、その後に排気口（14）を通って室外へ排出される。
【００９１】
〜換気動作〜
図３および図４に示すように、給気ファン（96）を駆動すると、室外空気（OA）が室外側吸込口（13）を通じてケーシング（10）内の右下部流路（66）へ第２空気として取り込まれる。一方、排気ファン（95）を駆動すると、室内空気（RA）が室内側吸込口（15）を通じてケーシング（10）内の左下部流路（68）へ第１空気として取り込まれる。
【００９２】
（第１動作）
換気動作の第１動作について、図３および図６を参照しながら説明する。
【００９３】
図３に示すように、右側仕切板（20）では、第１右側開口（21）と第１右上開口（23）とが連通状態となり、残りの開口（22,24,25,26）が遮断状態となっている。左側仕切板（30）では、第１左下開口（34）と第２左上開口（35）とが連通状態となり、残りの開口（31,32,33,36）が遮断状態となっている。第１シャッタ（61）は閉鎖状態となり、第２シャッタ（62）は開口状態となっている。
【００９４】
第１空気は、左下部流路（68）から第１左下開口（34）を通って第１下部流路（54）へ流入する。一方、第２空気は、右下部流路（66）から第１右側開口（21）を通って第１流路（51）へ流入する。
【００９５】
図６にも示すように、第１下部流路（54）の第１空気は、第１吸着素子（81）の調湿側通路（85）を流れる間に水分を奪われ、その後に第１上部流路（53）へ流入する。一方、第１流路（51）の第２空気は、第１吸着素子（81）の冷却側通路（86）を流れる間に吸着熱を吸熱し、その後、中央流路（57）へ流入して加熱用熱交換器（102）を通過する間に加熱されてから第２下部流路（56）へ流入する。続いて、第２空気は、第２下部流路（56）から第２吸着素子（82）の調湿側通路（85）へ導入され、吸着剤から脱離した水分を付与されて加湿され、その後に第２上部流路（55）へ流入する。
【００９６】
第２上部流路（55）へ流入した第２空気は、第２左上開口（35）を通って左上部流路（67）へ流入し、その後に第２空間（42）を通って給気口（16）から室内へ供給される。
【００９７】
一方、第１上部流路（53）へ流入した第１空気は、第１右上開口（23）を通って右上部流路（65）へ流入し、その後に第１空間（41）へ流入する。この第１空気は、第１熱源用熱交換器（103）で冷媒と熱交換し、その後に排気口（14）を通って室外へ排出される。
【００９８】
（第２動作）
換気動作の第２動作について、図４および図７を参照しながら説明する。
【００９９】
図４に示すように、右側仕切板（20）では、第２右側開口（22）と第２右上開口（25）とが連通状態となり、残りの開口（21,23,24,26）が遮断状態となっている。左側仕切板（30）では、第１左上開口（33）と第２左下開口（36）とが連通状態となり、残りの開口（31,32,34,35）が遮断状態となっている。第１シャッタ（61）は開口状態となり、第２シャッタ（62）は閉鎖状態となっている。
【０１００】
第１空気は、左下部流路（68）から第２左下開口（36）を通って第２下部流路（56）へ流入する。一方、第２空気は、右下部流路（66）から第２右側開口（22）を通って第２流路（52）へ流入する。
【０１０１】
図７にも示すように、第２下部流路（56）の第１空気は、第２吸着素子（82）の調湿側通路（85）を流れる間に水分を奪われ、その後に第２上部流路（55）へ流入する。一方、第２流路（52）の第２空気は、第２吸着素子（82）の冷却側通路（86）を流れる間に吸着熱を吸熱し、その後、中央流路（57）へ流入して加熱用熱交換器（102）を通過する間に加熱されてから第１下部流路（54）へ流入する。続いて、第２空気は、第１下部流路（54）から第１吸着素子（81）の調湿側通路（85）へ導入され、吸着剤から脱離した水分を付与されて加湿され、その後に第１上部流路（53）へ流入する。
【０１０２】
第１上部流路（53）へ流入した第２空気は、第１左上開口（33）を通って左上部流路（67）へ流入し、その後に第２空間（42）を通って給気口（16）から室内へ供給される。
【０１０３】
一方、第２上部流路（55）へ流入した第１空気は、第２右上開口（25）を通って右上部流路（65）へ流入し、その後に第１空間（41）へ流入する。この第１空気は、第１熱源用熱交換器（103）で冷媒と熱交換し、その後に排気口（14）を通って室外へ排出される。
【０１０４】
〈除湿運転〉
除湿運転において、冷媒回路では、加熱用熱交換器（102）が凝縮器となり、第２熱源用熱交換器（104）が蒸発器となる一方、第１熱源用熱交換器（103）が休止している。また、除湿運転では、第１吸着素子（81）の吸着動作と第２吸着素子（82）の再生動作とを行う第１動作と、第２吸着素子（82）の吸着動作と第１吸着素子（81）の再生動作とを行う第２動作とが交互に繰り返される。
【０１０５】
〜循環動作〜
図８および図９に示すように、排気ファン（95）を駆動すると、室外空気（OA）が室外側吸込口（13）を通じてケーシング（10）内の右下部流路（66）へ第２空気として取り込まれる。一方、給気ファン（96）を駆動すると、室内空気（RA）が室内側吸込口（15）を通じてケーシング（10）内の左下部流路（68）へ第１空気として取り込まれる。
【０１０６】
（第１動作）
循環動作の第１動作について、図８を参照しながら説明する。
【０１０７】
図８に示すように、右側仕切板（20）では、第１右側開口（21）と第２右上開口（25）とが連通状態となり、残りの開口（22,23,24,26）が遮断状態となっている。左側仕切板（30）では、第１左上開口（33）と第１左下開口（34）とが連通状態となり、残りの開口（31,32,35,36）が遮断状態となっている。第１シャッタ（61）は閉鎖状態となり、第２シャッタ（62）は開口状態となっている。
【０１０８】
第１空気は、左下部流路（68）から第１左下開口（34）を通って第１下部流路（54）へ流入する。一方、第２空気は、右下部流路（66）から第１右側開口（21）を通って第１流路（51）へ流入する。
【０１０９】
第１下部流路（54）の第１空気は、第１吸着素子（81）の調湿側通路（85）へ流入する。この調湿側通路（85）を流れる間に、第１空気に含まれる水分が吸着剤に吸着される。第１吸着素子（81）で減湿された第１空気は、第１上部流路（53）へ流入する。
【０１１０】
一方、第１流路（51）の第２空気は、第１吸着素子（81）の冷却側通路（86）へ流入し、調湿側通路（85）で水分が吸着剤に吸着される際に生じた吸着熱を吸熱する。吸着熱を奪った第２空気は、中央流路（57）へ流入して加熱用熱交換器（102）を通過する間に加熱される。その後、第２空気は、中央流路（57）から第２下部流路（56）へ流入する。
【０１１１】
第１吸着素子（81）および加熱用熱交換器（102）で加熱された第２空気は、第２吸着素子（82）の調湿側通路（85）へ導入される。この調湿側通路（85）では、第２空気によって吸着剤が加熱され、吸着剤から水分が脱離する。吸着剤から脱離した水分は、第２空気と共に第２上部流路（55）へ流入する。
【０１１２】
第１上部流路（53）へ流入した減湿後の第１空気は、第１左上開口（33）を通って左上部流路（67）へ流入し、その後に第２空間（42）へ流入する。この第１空気は、第２熱源用熱交換器（104）で冷媒と熱交換して冷却され、その後に給気口（16）を通って室内へ供給される。
【０１１３】
一方、第２上部流路（55）へ流入した第２空気は、第２右上開口（25）を通って右上部流路（65）へ流入し、その後に第１空間（41）を通って排気口（14）から室外へ排出される。
【０１１４】
（第２動作）
循環動作の第２動作について、図９を参照しながら説明する。
【０１１５】
図９に示すように、右側仕切板（20）では、第２右側開口（22）と第１右上開口（23）とが連通状態となり、残りの開口（21,24,25,26）が遮断状態となっている。左側仕切板（30）では、第２左上開口（35）と第２左下開口（36）とが連通状態となり、残りの開口（31,32,33,34）が遮断状態となっている。第１シャッタ（61）は開口状態となり、第２シャッタ（62）は閉鎖状態となっている。
【０１１６】
第１空気は、左下部流路（68）から第２左下開口（36）を通って第２下部流路（56）へ流入する。一方、第２空気は、右下部流路（66）から第２右側開口（22）を通って第２流路（52）へ流入する。
【０１１７】
第２下部流路（56）の第１空気は、第２吸着素子（82）の調湿側通路（85）へ流入する。この調湿側通路（85）を流れる間に、第１空気に含まれる水分が吸着剤に吸着される。第２吸着素子（82）で減湿された第１空気は、第２上部流路（55）へ流入する。
【０１１８】
一方、第２流路（52）の第２空気は、第２吸着素子（82）の冷却側通路（86）へ流入し、調湿側通路（85）で水分が吸着剤に吸着される際に生じた吸着熱を吸熱する。吸着熱を奪った第２空気は、中央流路（57）へ流入して加熱用熱交換器（102）を通過する間に加熱される。その後、第２空気は、中央流路（57）から第１下部流路（54）へ流入する。
【０１１９】
第２吸着素子（82）および加熱用熱交換器（102）で加熱された第２空気は、第１吸着素子（81）の調湿側通路（85）へ導入される。この調湿側通路（85）では、第２空気によって吸着剤が加熱され、吸着剤から水分が脱離する。吸着剤から脱離した水分は、第２空気と共に第１上部流路（53）へ流入する。
【０１２０】
第２上部流路（55）へ流入した減湿後の第１空気は、第２左上開口（35）を通って左上部流路（67）へ流入し、その後に第２空間（42）へ流入する。この第１空気は、第２熱源用熱交換器（104）で冷媒と熱交換して冷却され、その後に給気口（16）を通って室内へ供給される。
【０１２１】
一方、第１上部流路（53）へ流入した第２空気は、第１右上開口（23）を通って右上部流路（65）へ流入し、その後に第１空間（41）を通って排気口（14）から室外へ排出される。
【０１２２】
〜換気動作〜
図１０および図１１に示すように、給気ファン（96）を駆動すると、室外空気（OA）が室外側吸込口（13）を通じてケーシング（10）内の右下部流路（66）へ第１空気として取り込まれる。一方、排気ファン（95）を駆動すると、室内空気（RA）が室内側吸込口（15）を通じてケーシング（10）内の左下部流路（68）へ第２空気として取り込まれる。
【０１２３】
（第１動作）
換気動作の第１動作について、図１０を参照しながら説明する。
【０１２４】
図１０に示すように、右側仕切板（20）では、第１右下開口（24）と第２右上開口（25）とが連通状態となり、残りの開口（21,22,23,26）が遮断状態となっている。左側仕切板（30）では、第１左側開口（31）と第１左上開口（33）とが連通状態となり、残りの開口（32,34,35,36）が遮断状態となっている。第１シャッタ（61）は閉鎖状態となり、第２シャッタ（62）は開口状態となっている。
【０１２５】
第１空気は、右下部流路（66）から第１右下開口（24）を通って第１下部流路（54）へ流入する。一方、第２空気は、左下部流路（68）から第１左側開口（31）を通って第１流路（51）へ流入する。
【０１２６】
第１下部流路（54）の第１空気は、第１吸着素子（81）の調湿側通路（85）を流れる間に水分を奪われて減湿され、その後に第１上部流路（53）へ流入する。一方、第１流路（51）の第２空気は、第１吸着素子（81）の冷却側通路（86）を流れる間に吸着熱を吸熱し、その後、中央流路（57）へ流入して加熱用熱交換器（102）を通過する間に加熱されてから第２下部流路（56）へ流入する。続いて、第２空気は、第２下部流路（56）から第２吸着素子（82）の調湿側通路（85）へ導入され、吸着剤から脱離した水分を付与され、その後に第２上部流路（55）へ流入する。
【０１２７】
第１上部流路（53）へ流入した減湿後の第１空気は、第１左上開口（33）を通って左上部流路（67）へ流入し、その後に第２空間（42）へ流入する。この第１空気は、第２熱源用熱交換器（104）で冷媒と熱交換して冷却され、その後に給気口（16）を通って室内へ供給される。
【０１２８】
一方、第２上部流路（55）へ流入した第２空気は、第２右上開口（25）を通って右上部流路（65）へ流入し、その後に第１空間（41）を通って排気口（14）から室外へ排出される。
【０１２９】
（第２動作）
換気動作の第２動作について、図１１を参照しながら説明する。
【０１３０】
図１１に示すように、右側仕切板（20）では、第１右上開口（23）と第２右下開口（26）とが連通状態となり、残りの開口（21,22,24,25）が遮断状態となっている。左側仕切板（30）では、第２左側開口（32）と第２左上開口（35）とが連通状態となり、残りの開口（31,33,34,36）が遮断状態となっている。第１シャッタ（61）は開口状態となり、第２シャッタ（62）は閉鎖状態となっている。
【０１３１】
第１空気は、右下部流路（66）から第２右下開口（26）を通って第２下部流路（56）へ流入する。一方、第２空気は、左下部流路（68）から第２左側開口（32）を通って第２流路（52）へ流入する。
【０１３２】
第２下部流路（56）の第１空気は、第２吸着素子（82）の調湿側通路（85）を流れる間に水分を奪われて減湿され、その後に第２上部流路（55）へ流入する。一方、第２流路（52）の第２空気は、第２吸着素子（82）の冷却側通路（86）を流れる間に吸着熱を吸熱し、その後、中央流路（57）へ流入して加熱用熱交換器（102）を通過する間に加熱されてから第１下部流路（54）へ流入する。続いて、第２空気は、第１下部流路（54）から第１吸着素子（81）の調湿側通路（85）へ導入され、吸着剤から脱離した水分を付与され、その後に第１上部流路（53）へ流入する。
【０１３３】
第２上部流路（55）へ流入した減湿後の第１空気は、第２左上開口（35）を通って左上部流路（67）へ流入し、その後に第２空間（42）へ流入する。この第１空気は、第２熱源用熱交換器（104）で冷媒と熱交換して冷却され、その後に給気口（16）を通って室内へ供給される。
【０１３４】
一方、第１上部流路（53）へ流入した第２空気は、第１右上開口（23）を通って右上部流路（65）へ流入し、その後に第１空間（41）を通って排気口（14）から室外へ排出される。
【０１３５】
−起動時の運転制御−
上記調湿装置を起動する際には、まず循環動作が行われる。この循環動作は、室内空気（RA）の相対湿度が所定の目標値に達するまでに要する時間を短縮するために行われる。そして、調湿装置では、循環動作中に室内空気（RA）の相対湿度が目標値に達すると、換気動作への切り換えが行われる。
【０１３６】
〈加湿運転〉
加湿運転中の循環動作では、排気ファン（95）の回転速度が給気ファン（96）の回転速度よりも高く設定される。つまり、この循環動作では、第１空気として取り込まれる室外空気（RA）の風量が第２空気として取り込まれる室内空気（SA）の風量よりも多くなる。このため、循環動作中には、第１空気の風量と第２空気の風量とが等しい場合に比べて、吸着素子（81,82）に吸着される第１空気中の水分量が増加する。吸着素子（81,82）に吸着された水分は第２空気へ付与されるため、第２空気に対する加湿量が増加する。また、循環動作では、第１空気の第２空気に対する風量比が所定の範囲に設定されている。この点について、図１２を参照しながら説明する。
【０１３７】
図１２において、横軸は風量比、縦軸は経過時間比を表す。風量比とは、第１空気の風量の第２空気の風量に対する比である。経過時間比とは、風量比を１００％に設定したときの調湿装置の起動時から室内空気（RA）の相対湿度が目標値に達するまでの時間を基準値とした場合に、異なる風量比での経過時間をこの基準値に対する比で表したものである。
【０１３８】
また、図１２に示すデータは、本実施形態の調湿装置において外気条件を０℃／５０ＲＨ％とした場合に、室内空気（RA）が２０℃／４０ＲＨ％になるまでの風量比と経過時間比との関係を表している。同図に示すように、第１空気の風量と第２空気の風量とを等しく設定したときの経過時間比は１００％である。一方、風量比が大きくなると、経過時間比が小さくなる。第１空気の風量が第２空気の風量よりも多くなると、吸着素子（81,82）に吸着される第１空気中の水分量が増加して第２空気に対する加湿量が増加するからである。
【０１３９】
上記のデータについて、風量比が１００％以上１２０％未満のところでは、風量比が大きくなると経過時間比が小さくなる。第１空気の風量を第２空気の風量よりも多く設定することで吸着素子（81,82）に吸着される第１空気中の水分量が増加し、第２空気に対する加湿量が増加するからである。
【０１４０】
一方、風量比が概ね１２０％以上のところでは、風量比が大きくなっても経過時間比があまり小さくならない。吸着素子（81,82）を通過する第１空気の流速が大きくなって第１空気中の水分が吸着素子（81,82）に吸着されにくくなり、第１空気の風量を第２空気の風量よりも多く設定しても、それ以上は吸着素子（81,82）に吸着される水分量が増加しなくなるからである。
【０１４１】
つまり、第２空気に対する加湿量は、風量比をあまり大きくしても、ある程度大きくなるとそれ以上増加しなくなり、その結果、経過時間比があまり小さくならない。また、風量比が大きすぎると、排気ファン（95）を駆動するための電力量が増加してしまう。そこで、循環動作中において、給気ファン（96）の回転速度と排気ファン（95）の回転速度とは、風量比が１００％以上１３０％未満となるように設定される。更に、給気ファン（96）の回転速度と排気ファン（95）の回転速度とは、風量比が１００％以上１２０％未満となるように設定されるのが望ましく、風量比が１１０％前後となるように設定されるのが最も望ましい。
【０１４２】
一方、調湿装置の循環動作中に湿度センサ（1）の検出値が所定の基準値（ここでは、相対湿度４０％）に達すると、循環動作から換気動作へと切り換わる。換気動作では、給気ファン（96）の回転速度が排気ファン（95）の回転速度と等しく設定され、ケーシング（10）内には第１空気と等しい風量の第２空気が取り込まれる。
【０１４３】
〈除湿運転〉
除湿運転中の循環動作では、給気ファン（96）の回転速度が排気ファン（95）の回転速度よりも高く設定される。つまり、この循環動作では、第１空気として取り込まれる室外空気（RA）の風量が第２空気として取り込まれる室内空気（SA）の風量よりも多くなる。
【０１４４】
循環動作中には、第１空気の第２空気に対する風量比が大きくなるにつれ、吸着素子（81,82）に吸着される第１空気中の水分量が増加してゆく。一方、風量比がある程度以上のところでは、吸着素子（81,82）を通過する第１空気の流速が大きくなって第１空気中の水分が吸着素子（81,82）に吸着されにくくなるために、それ以上は吸着素子（81,82）に吸着される水分量が増加しなくなる。つまり、第１空気に対する除湿量は、風量比をあまり大きくしても、ある程度以上大きくなるとそれ以上増加しなくなり、その結果、経過時間比があまり小さくならない。このため、循環動作では、風量比が所定の範囲に設定されている。
【０１４５】
循環動作中において、除湿運転では、加湿運転と同様に給気ファン（96）の回転速度と排気ファン（95）の回転速度とが、風量比が１００％以上１３０％未満となるように設定される。更に、給気ファン（96）の回転速度と排気ファン（95）の回転速度とは、風量比が１００％以上１２０％未満となるように設定されるのが望ましく、風量比が１１０％前後となるように設定されるのが最も望ましい。
【０１４６】
一方、調湿装置の循環動作中に湿度センサ（1）の検出値が所定の基準値（ここでは、相対湿度４７％）に達すると、循環動作から換気動作へと切り換わる。換気動作では、給気ファン（96）の回転速度が排気ファン（95）の回転速度と等しく設定され、ケーシング（10）内には第１空気と等しい風量の第２空気が取り込まれる。
【０１４７】
−実施形態１の効果−
本実施形態では、調湿装置を起動する際に先ず循環動作を行い、その後に循環動作から換気動作へ切り換えるようにしている。
【０１４８】
ここで、換気動作中は、室外空気（OA）が調湿装置で調湿されてから室内へ供給されるため、室内へ供給される空気（SA）の絶対湿度は概ね一定となる。これに対し、循環動作中は、室内空気（RA）が調湿装置で調湿されてから室内へ送り返されるため、室内へ供給される空気（SA）の絶対湿度は室内空気（RA）の絶対湿度に対応して変化する。
【０１４９】
例えば、調湿装置が加湿した第２空気を室内へ供給する場合、調湿装置の運転によって室内空気（RA）の絶対湿度が徐々に上昇すると、それに伴って室内へ供給される第２空気の絶対湿度も上昇する。また、調湿装置が除湿した第１空気を室内へ供給する場合、調湿装置の運転によって室内空気（RA）の絶対湿度が徐々に低下すると、それに伴って室内へ供給される第１空気の絶対湿度も低下する。このため、循環動作中には、換気動作中に比べて室内空気（RA）の絶対湿度の変化速度が高まる。また、換気動作中とは異なり、循環動作中には室内から室外への排気が行われないために、これによっても室内空気（RA）の絶対湿度の変化速度が高まる。
【０１５０】
従って、起動の際に先ず循環動作を行う本実施形態によれば、起動直後から換気動作を行う場合に比べ、室内空気（RA）の相対湿度が所定の目標値に達するまでの時間を短縮することができる。
【０１５１】
本実施形態では、循環動作において、室内へ向かう室内空気（RA）の流量と室外へ向かう室外空気（OA）の流量を異なる値に設定している。従って、本実施形態によれば、調湿装置を通過する室内空気（RA）と室外空気（OA）の流量を、それぞれ調湿装置の起動から室内空気（RA）の相対湿度が所定の目標値に達するまでに要する時間の短縮に適した値に設定することが可能となる。
【０１５２】
本実施形態では、除湿運転中の循環動作において、室内へ向かう第１空気の流量が室外へ向かう第２空気の流量よりも多くなっている。つまり、吸着素子（81,82）を通過する際に除湿されて室内へ供給される第１空気の流量は、室内へ向かう第１空気の流量が室外へ向かう第２空気の流量と等しい場合に比べて多くなる。従って、本実施形態によれば、除湿されて室内へ供給される第１空気の流量を充分に確保でき、室内空気（RA）の相対湿度が所定の目標値に達するまでの時間を一層短縮することができる。
【０１５３】
また、本実施形態では、加湿運転中の循環動作において、室外へ向かう第１空気の流量が室内へ向かう第２空気の流量よりも多くなっている。つまり、吸着素子（81,82）を通過する際に加湿されて室内へ供給される第２空気の流量は、室外へ向かう第１空気の流量が室内へ向かう第２空気の流量と等しい場合に比べて多くなる。従って、本実施形態によれば、加湿されて室内へ供給される第２空気の流量を充分に確保でき、室内空気（RA）の相対湿度が所定の目標値に達するまでの時間を一層短縮することができる。
【０１５４】
本実施形態によれば、室内空気（RA）の相対湿度を検出する湿度センサ（1）の検出値が所定の基準値に達すると、循環動作から換気動作へと切り換わる。従って、本実施形態によれば、湿度センサ（1）によって精度良く室内の湿度調節を行うことができ、室内の快適性を保持することができる。
【０１５５】
−実施形態１の変形例１−
上記実施形態１の調湿装置において、調湿装置の構成を変更してもよい。ここでは、本変形例について、上記実施形態１と異なる点を説明する。
【０１５６】
本変形例の調湿装置には、室内空気（RA）の相対湿度を検出するための湿度センサ（1）に代えて、温度検出手段としての温度センサ（図示せず）が設けられている。この温度センサは、室内空気（RA）の温度を検出するためのものであって、ケーシング（10）における室内側吸込口（15）の近傍に設けられている。
【０１５７】
調湿装置では、ケーシング（10）内に取り込まれる室内空気（RA）の温度が温度センサにより検出される。また、調湿装置では、加湿運転および除湿運転のそれぞれの運転において、起動時に循環動作が行われる一方、循環動作中に所定の基準条件が成立すると、換気動作へと切り換わる。具体的に、循環動作中に温度センサの検出値が所定の基準値に達すると、循環動作から換気動作へと切り換わる。
【０１５８】
ここで、例えば冬季において、室外空気（OA）の温度は変動してもその相対湿度は概ね８０％程度となる。従って、循環動作では、室外空気（OA）の温度が低いとその絶対湿度も低く、吸着側の吸着素子（81,82）に吸着される室外空気（OA）中の水分量が少なくなってこの吸着素子（81,82）の温度が上昇しない。このため、吸着側の吸着素子（81,82）における室内へ供給される空気（SA）に対する加熱量および再生側の吸着素子（81,82）における室内へ供給される空気（SA）に対する加湿量が少なくなる。そして、室外空気（OA）の温度が低いことから室内空気（RA）の温度は緩やかにしか上昇せず、室内へ供給される空気（SA）の絶対湿度が低いことから室内空気（RA）の相対湿度も緩やかにしか上昇しない。
【０１５９】
一方、室外空気（OA）の温度が高いとその絶対湿度も高く、吸着側の吸着素子（81,82）に吸着される室外空気（OA）中の水分量が多くなってこの吸着素子（81,82）の温度が上昇する。このため、吸着側の吸着素子（81,82）における室内へ供給される空気（SA）に対する加熱量および再生側の吸着素子（81,82）における室内へ供給される空気（SA）に対する加湿量が多くなる。そして、室外空気（OA）の温度が高いことから室内空気（RA）の温度は速やかに上昇し、室内へ供給される空気（SA）の絶対湿度が高いことから室内空気（RA）の相対湿度も速やかに上昇してゆく。
【０１６０】
このように、室内空気（RA）の温度の上昇速度が高ければその相対湿度の上昇速度も高くなり、逆に室内空気（RA）の温度の上昇速度が低ければその相対湿度の上昇速度も低くなる。つまり、室内空気（RA）の温度と相対湿度には相関関係があり、両者は連動して変化する。よって、温度センサの検出値から室内空気（RA）の相対湿度を推測することができる。そこで、所定の基準値を室内空気（RA）の相対湿度が目標値（加湿運転時には４０％、除湿運転時には４７％）となる値に設定することにより、室内空気（RA）の相対湿度が目標値に達したところで循環動作から換気動作へと切り換えることができる。
【０１６１】
また、調湿装置にデータベースを設け、このデータベースで基準値を変更してもよい。上述のように、取り込まれる室内空気（RA）の温度が低いと室内へ供給される空気（SA）の温度が低く、室内空気（RA）の温度の上昇速度が低い。また、取り込まれる室内空気（RA）の温度が高いと室内へ供給される空気（SA）の温度が高く、室内空気（RA）の温度の上昇速度が高い。このため、室内へ供給される空気（SA）および室内空気（RA）の温度データに基づいて基準値を設定するデータベースを調湿装置に設けておき、室内へ供給される空気（SA）および室内空気（RA）の温度を温度センサで計測して基準値を設定することで、精度良く室内空気（RA）の相対湿度を推測することができる。
【０１６２】
本変形例では、室内空気（RA）の温度を検出する温度センサの検出値が所定の基準値に達すると、循環動作から換気動作へと切り換わる。上述のように、室内空気（RA）の温度と相対湿度には相関関係があるため、温度センサの検出値によって室内空気（RA）の相対湿度を推測することができる。従って、本変形例によれば、循環動作から換気動作へ切り換えるか否かの判断に温度センサを利用することができる。また、換気動作から循環動作へ切り換えるか否かの判断に温度センサを利用すると、湿度センサ（1）を利用する場合よりも部品コストを抑えることができる。
【０１６３】
−実施形態１の変形例２−
上記実施形態１の調湿装置において、調湿装置の構成を変更してもよい。ここでは、本変形例について、上記実施形態１と異なる点を説明する。
【０１６４】
本変形例の調湿装置では、室内空気（RA）の相対湿度を検出するための湿度センサ（1）に代えて、タイマー（図示せず）が設けられる。このタイマーは、調湿装置の起動時からの経過時間を計測するためのものである。
【０１６５】
上記調湿装置では、加湿運転および除湿運転のそれぞれの運転において、起動時に循環動作が行われる一方、循環動作中に所定の基準条件が成立すると、換気動作へと切り換わる。具体的に、調湿装置は、循環動作中にタイマーの計測値が所定の基準値に達すると、循環動作から換気動作へと切り換わる。
【０１６６】
ここで、予め様々な運転条件で試験を行い、調湿装置の起動時から室内空気（RA）の相対湿度が目標値（加湿運転時には４０％、除湿運転時には４７％）に達するまでの経過時間を計測しておけば、その試験で得られたデータに基づき、室内空気（RA）の相対湿度が目標値に達すると予想される起動時からの経過時間を基準値として設定できる。
【０１６７】
本変形例では、起動時からの経過時間を計測するタイマーの計測値が所定の基準値に達すると、循環動作から換気動作へと切り換わる。上述のように、予め試験を行って室内空気（RA）の相対湿度が目標値に達すると予想される起動時からの経過時間を基準値として設定すれば、タイマーの計測値によって室内空気（RA）の相対湿度を推測することができる。従って、本変形例によれば、循環動作から換気動作へ切り換えるか否かの判断にタイマーを利用することができる。
【０１６８】
《発明の実施形態２》
本発明の実施形態２は、上記実施形態１の調湿装置の構成を変更したものである。ここでは、本実施形態について、上記実施形態１と異なる点を説明する。
【０１６９】
図１３に示すように、本実施形態の調湿装置では、冷媒回路の加熱用熱交換器（102）が、中央流路（57）にほぼ水平に寝かせられた状態で設置されている。加熱用熱交換器（102）は、その上面が第１吸着素子（81）および第２吸着素子（82）の下面とほぼ一致する高さに配置されている。また、加熱用熱交換器（102）の両側には、第１シャッタ（61）と第２シャッタ（62）とが設けられている。
【０１７０】
《発明の実施形態３》
本発明の実施形態３は、上記実施形態１の調湿装置の構成を変更したものである。ここでは、本実施形態について、上記実施形態１と異なる点を説明する。
【０１７１】
図１４〜１７に示すように、本実施形態の調湿装置には、第１シャッタ（61）および第２シャッタ（62）に加えて、第３シャッタ（63）および第４シャッタ（64）が設けられている。
【０１７２】
第３シャッタ（63）は、第１流路（51）と第１下部流路（54）との間を仕切るためのものである。第４シャッタ（64）は、第２流路（52）と第２下部流路（56）との間を仕切るためのものである。第３シャッタ（63）と第４シャッタ（64）とは、何れもが開閉自在に構成されている。
【０１７３】
本実施形態の調湿装置では、第１吸着素子（81）についての吸着動作と第２吸着素子（82）についての再生動作とを行う第１動作と、第２吸着素子（82）についての吸着動作と第１吸着素子（81）についての再生動作とを行う第２動作とが切り換えて行われる。尚、本実施形態の調湿装置は、第１空気および第２空気の流通経路を切り換えることによって加湿運転と除湿運転を行うが、ここでは加湿運転のみ説明し、除湿運転については説明を省略する。
【０１７４】
（第１動作）
図１４に示すように、第１動作では、第１、第３および第４シャッタ（61,63,64）が閉鎖状態となり、第２シャッタ（62）が開口状態となっている。
【０１７５】
第１吸着素子（81）の調湿側通路（85）へ流入した第１空気は、それに含まれる水分が吸着剤に吸着される。第１吸着素子（81）で水分を奪われた第１空気は、第１熱源用熱交換器（103）を通過後に、室外へ排出される。一方、第１吸着素子の（81）冷却側通路（86）へ流入した第２空気は、調湿側通路（85）で生じた吸着熱を吸熱し、加熱用熱交換器（102）で加熱された後に、第２シャッタ（62）を通って第２吸着素子（82）の調湿側通路（85）へ流入する。この調湿側通路（85）では、第２空気によって加熱された吸着剤から脱離した水分が第２空気に付与される。第２吸着素子（82）で加湿された第２空気は、第２熱源用熱交換器（104）を通過後に、室内へ供給される。
【０１７６】
また、図１５に示すように、開閉されるシャッタを変更し、第２吸着素子（82）を加熱した後に再生することも可能である。この場合、第１、第２および第３シャッタ（61,62,63）が閉鎖状態となり、第４シャッタ（64）が開口状態となる。
【０１７７】
第１吸着素子（81）の冷却側通路（86）へ流入した第２空気は、調湿側通路（85）で生じた吸着熱を吸熱し、加熱用熱交換器（102）で加熱された後に、第２吸着素子（82）の冷却側通路（86）へ流入する。この冷却側通路（86）を通過した第２空気は、一旦第２流路（52）へ流出した後、第４シャッタ（64）を通って第２吸着素子（82）の調湿側通路（85）へ流入する。この調湿側通路（85）では、第２空気によって加熱された吸着剤から脱離した水分が第２空気に付与される。第２吸着素子（82）で加湿された第２空気は、第２熱源用熱交換器（104）を通過後に、室内へ供給される。
【０１７８】
（第２動作）
図１６に示すように、第２動作では、第２、第３および第４シャッタ（62,63,64）が閉鎖状態となり、第１シャッタ（61）が開口状態となっている。
【０１７９】
第２吸着素子（82）の調湿側通路（85）へ流入した第１空気は、それに含まれる水分が吸着剤に吸着される。第２吸着素子（82）で水分を奪われた第１空気は、第１熱源用熱交換器（103）を通過後に、室外へ排出される。一方、第２吸着素子の（82）冷却側通路（86）へ流入した第２空気は、調湿側通路（85）で生じた吸着熱を吸熱し、加熱用熱交換器（102）で加熱された後に、第１シャッタ（61）を通って第１吸着素子（81）の調湿側通路（85）へ流入する。この調湿側通路（85）では、第２空気によって加熱された吸着剤から脱離した水分が第２空気に付与される。第１吸着素子（81）で加湿された第２空気は、第２熱源用熱交換器（104）を通過後に、室内へ供給される。
【０１８０】
また、図１７に示すように、開閉されるシャッタを変更し、第１吸着素子（81）を加熱した後に再生することも可能である。この場合、第１、第２および第４シャッタ（61,62,64）が閉鎖状態となり、第３シャッタ（63）が開口状態となる。
【０１８１】
第２吸着素子の（82）冷却側通路（86）へ流入した第２空気は、調湿側通路（85）で生じた吸着熱を吸熱し、加熱用熱交換器（102）で加熱された後に、第１吸着素子（81）の冷却側通路（86）へ流入する。この冷却側通路（86）を通過した第２空気は、一旦第１流路（51）へ流出した後、第３シャッタ（63）を通って第１吸着素子（81）の調湿側通路（85）へ流入する。この調湿側通路（85）では、第２空気によって加熱された吸着剤から脱離した水分が第２空気に付与される。第１吸着素子（81）で加湿された第２空気は、第２熱源用熱交換器（104）を通過後に、室内へ供給される。
【０１８２】
本実施形態によれば、再生側となる吸着素子（81,82）を加熱した後に再生する動作において、吸着素子（81,82）の調湿側通路（85）と冷却側通路（86）の両方を第２空気が通過する。従って、調湿側通路（85）のみへ第２空気を導入する場合に比べて吸着素子（81,82）の温度を上昇させることができ、吸着素子（81,82）を確実に再生することができる。
【０１８３】
−実施形態３の変形例−
上記実施形態３の調湿装置の構成を変更してもよい。ここでは、本変形例について、上記実施形態３と異なる点を説明する。
【０１８４】
上記実施形態３の調湿装置では、再生側となる吸着素子（81,82）を加熱した後に再生する動作において、第１シャッタ（61）および第２シャッタ（62）が常に閉鎖状態となっている。
【０１８５】
本変形例の調湿装置は、再生側となる吸着素子（81,82）において、この吸着素子（81,82）を加熱した後に再生する動作のみを行うように構成されている。そして、図１８に示すように、上記調湿装置には、第３シャッタ（63）および第４シャッタ（64）のみが設けられ、第１シャッタ（61）および第２シャッタ（62）の場所には、空気の流通を防止するための図示しない仕切板が設けられている。
【産業上の利用可能性】
【０１８６】
以上説明したように、本発明は、室内の湿度調節を行う調湿装置について有用である。
【図面の簡単な説明】
【０１８７】
【図１】実施形態１に係る調湿装置の構成および加湿運転時の循環動作の第１動作における空気の流れを示す概略構成図である。
【図２】実施形態１に係る調湿装置の構成および加湿運転時の循環動作の第２動作における空気の流れを示す概略構成図である。
【図３】実施形態１に係る調湿装置の構成および加湿運転時の換気動作の第１動作における空気の流れを示す概略構成図である。
【図４】実施形態１に係る調湿装置の構成および加湿運転時の換気動作の第２動作における空気の流れを示す概略構成図である。
【図５】実施形態１に係る調湿装置の吸着素子の構成を示す概略斜視図である。
【図６】実施形態１に係る調湿装置の構成および加湿運転時の循環動作または換気動作の第１動作における空気の流れを示す図である。
【図７】実施形態１に係る調湿装置の構成および加湿運転時の循環動作または換気動作の第２動作における空気の流れを示す図である。
【図８】実施形態１に係る調湿装置の構成および除湿運転時の循環動作の第１動作における空気の流れを示す概略構成図である。
【図９】実施形態１に係る調湿装置の構成および除湿運転時の循環動作の第２動作における空気の流れを示す概略構成図である。
【図１０】実施形態１に係る調湿装置の構成および除湿運転時の換気動作の第１動作における空気の流れを示す概略構成図である。
【図１１】実施形態１に係る調湿装置の構成および除湿運転時の換気動作の第２動作における空気の流れを示す概略構成図である。
【図１２】風量比と経過時間比の関係を示す図である。
【図１３】実施形態２に係る調湿装置の構成および加湿運転時の循環動作または換気動作の第１動作における空気の流れを示す図である。
【図１４】実施形態３に係る調湿装置の構成および加湿運転時の循環動作または換気動作の第１動作における空気の流れを示す図である。
【図１５】実施形態３に係る調湿装置の構成および加湿運転時の循環動作または換気動作の第１動作における空気の流れを示す図である。
【図１６】実施形態３に係る調湿装置の構成および加湿運転時の循環動作または換気動作の第２動作における空気の流れを示す図である。
【図１７】実施形態３に係る調湿装置の構成および加湿運転時の循環動作または換気動作の第２動作における空気の流れを示す図である。
【図１８】実施形態３に係る調湿装置の構成および加湿運転時の循環動作または換気動作の第１動作における空気の流れを示す図である。
【符号の説明】
【０１８８】
（1）  湿度検出手段（湿度センサ）
（81,82）  吸着素子
（95）  第２ファン（排気ファン）
（96）  第１ファン（給気ファン）
【図１】
2005140420.tif 000003
【図２】
2005140420.tif 000004
【図３】
2005140420.tif 000005
【図４】
2005140420.tif 000006
【図５】
2005140420.tif 000007
【図６】
2005140420.tif 000008
【図７】
2005140420.tif 000009
【図８】
2005140420.tif 000010
【図９】
2005140420.tif 000011
【図１０】
2005140420.tif 000012
【図１１】
2005140420.tif 000013
【図１２】
2005140420.tif 000014
【図１３】
2005140420.tif 000015
【図１４】
2005140420.tif 000016
【図１５】
2005140420.tif 000017
【図１６】
2005140420.tif 000018
【図１７】
2005140420.tif 000019
【図１８】
2005140420.tif 000020